【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
還元除染剤の水溶液を用いて、原子力プラントの構造部材の炉水に接触する表面の還元除染を実施するステップ、及び前記還元除染後に実施される前記還元除染剤の分解工程内で、前記還元除染剤の一部を分解した後で前記水溶液に前記還元除染剤が残っている第１期間、及び前記分解工程が終了した後に実施される前記水溶液の浄化を行う第２期間のうち少なくとも１つの期間において、錯イオン形成剤、貴金属イオン及び還元剤を前記水溶液に注入することにより生成された、前記錯イオン形成剤、前記貴金属イオン及び前記還元剤を含む前記水溶液を、前記構造部材の前記還元除染が実施された前記表面に接触させ、前記表面に前記貴金属イオンから生成される貴金属を付着させるステップを有し、
前記還元除染を実施するステップ及び前記貴金属を付着させるステップが、前記原子力プラントの運転停止後で前記原子力プラントの起動前に行われることを特徴とする原子力プラントの構造部材への貴金属付着方法。
【請求項２】
前記第１期間において注入された前記錯イオン形成剤、前記貴金属イオン及び前記還元剤を含みさらに前記還元除染剤を含む前記水溶液を、前記貴金属を付着させるステップで、前記構造部材の前記表面に接触させ、前記貴金属が前記表面に付着した後、前記水溶液に含まれる前記還元除染剤及び前記還元剤を分解し、前記水溶液に含まれる前記錯イオン形成剤を、前記第２期間においてイオン交換樹脂により除去する請求項１に記載の原子力プラントの構造部材への貴金属付着方法。
【請求項３】
前記構造部材の前記表面に接触させる、前記貴金属イオン、前記還元剤及び前記還元除染剤を含む前記水溶液のｐＨが、４．０〜９．０の範囲内にある請求項２に記載の原子力プラントの構造部材への貴金属付着方法。
【請求項４】
前記還元除染剤及び前記還元剤の分解が、触媒及び酸化剤を用いて行われる請求項２に記載の原子力プラントの構造部材への貴金属付着方法。
【請求項５】
前記第１期間において注入された前記貴金属イオンを含む前記水溶液を、前記貴金属を付着させるステップで、前記構造部材の前記表面に接触させ、前記貴金属が前記表面に付着した後、前記水溶液を、陽イオン交換樹脂及び陰イオン交換樹脂が充填された樹脂塔に供給して浄化する請求項１に記載の原子力プラントの構造部材への貴金属付着方法。
【請求項６】
前記貴金属イオンの前記水溶液への注入を、前記錯イオン形成剤を前記水溶液に注入した後に行う請求項１に記載の原子力プラントの構造部材への貴金属付着方法。
【請求項７】
前記錯イオン形成剤が、アンモニア、ヒドロキシルアミン、シアン化合物、尿素及びチオシアン化合物のうちの少なくとも１つである請求項１に記載の原子力プラントの構造部材への貴金属付着方法。
【請求項８】
前記錯イオン形成剤、前記貴金属イオン及び前記還元剤の注入を前記第２期間で停止したとき、前記錯イオン形成剤、前記貴金属イオン及び前記還元剤の除去が、前記水溶液を供給する、イオン交換樹脂が充填された樹脂塔で行われる請求項１に記載の原子力プラントの構造部材への貴金属付着方法。
【請求項９】
前記錯イオン形成剤の前記水溶液への注入は、測定された前記水溶液の鉄（III）イオンの濃度が、鉄（III）イオンの設定濃度以下であるときに行う請求項１に記載の原子力プラントの構造部材への貴金属付着方法。
【請求項１０】
原子力圧力容器に連絡される、原子力プラントの構造部材である第１配管に、第２配管を通して還元除染剤の水溶液を供給して、この水溶液を用いて前記第１配管の内面の還元除染を実施するステップ、及び前記還元除染後に実施される、前記第１配管から排出された前記水溶液に含まれている前記還元除染剤の分解工程内で、前記還元除染剤の一部を分解した後で前記水溶液に前記還元除染剤が残っている第１期間、及び前記分解工程が終了した後に実施される、前記第１配管から排出された前記水溶液の浄化を行う第２期間のうち少なくとも１つの期間において、錯イオン形成剤、貴金属イオン及び還元剤を前記水溶液に注入することにより生成された、前記錯イオン形成剤、前記貴金属イオン及び前記還元剤を含む前記水溶液を、前記第２配管を通して前記第１配管に供給して前記第１配管の内面に接触させ、前記内面に前記貴金属イオンから生成される貴金属を付着させるステップを有し、
前記還元除染を実施するステップ及び前記貴金属を付着させるステップが、前記原子力プラントの運転停止後で前記原子力プラントの起動前に行われることを特徴とする原子力プラントの構造部材への貴金属付着方法。
【請求項１１】
原子力圧力容器に連絡される、原子力プラントの構造部材である第１配管に、第２配管を通して還元除染剤の水溶液を供給して、この水溶液を用いて前記第１配管の内面の還元除染を実施するステップ、前記還元除染の終了後に実施される、前記第１配管から排出された前記水溶液に含まれている前記還元除染剤の一部を分解して前記水溶液のｐＨを増加させるステップ、錯イオン形成剤、貴金属イオン及び還元剤をｐＨが増加して前記還元除染剤を含む前記水溶液に注入することにより生成された、前記錯イオン形成剤、前記貴金属イオン、前記還元剤及び前記還元除染剤を含む前記水溶液を、前記第２配管を通して前記第１配管に供給して前記第１配管の内面に接触させ、前記内面に前記貴金属イオンから生成される貴金属を付着させるステップ、及び前記貴金属を付着させるステップが終了した後、前記第１配管から排出された前記水溶液に含まれる前記還元除染剤及び前記還元剤を分解するステップを有し、
前記水溶液のｐＨを増加させるステップ、前記貴金属を付着させるステップ及び前記還元除染剤及び前記還元剤を分解するステップが、前記還元除染後に実施される前記還元除染剤の分解工程の開始から前記分解工程の終了までの期間内で行われ、
前記還元除染を実施するステップ及び前記分解工程が、前記原子力プラントの運転停止後で前記原子力プラントの起動前に行われることを特徴とする原子力プラントの構造部材への貴金属付着方法。
【請求項１２】
前記第２配管を通して前記第１配管に供給される、前記貴金属イオン、前記還元剤及び前記還元除染剤を含む前記水溶液のｐＨが、４．０〜９．０の範囲内にある請求項１１に記載の原子力プラントの構造部材への貴金属付着方法。
【請求項１３】
前記還元除染剤及び前記還元剤を分解するステップで行われる前記還元除染剤及び前記還元剤の分解が、触媒及び酸化剤を用いて行われる請求項１１に記載の原子力プラントの構造部材への貴金属付着方法。
【請求項１４】
前記貴金属イオン、前記還元剤及び前記還元除染剤を含む前記水溶液が前記第１配管に供給されているときに、前記還元除染剤及び前記還元剤を分解するステップにおける前記還元除染剤及び前記還元剤の分解が行われる請求項１１に記載の原子力プラントの構造部材への貴金属付着方法。
【請求項１５】
前記水溶液のｐＨを増加させるステップで行われる前記還元除染剤の分解が、触媒及び酸化剤を用いて行われる請求項１４に記載の原子力プラントの構造部材への貴金属付着方法。
【請求項１６】
前記第１配管の内面への前記貴金属の付着量を計測し、計測された前記貴金属の付着量に基づいて前記貴金属イオン及び前記還元剤の前記水溶液への注入を停止する請求項１０または１１に記載の原子力プラントの構造部材への貴金属付着方法。
【請求項１７】
前記還元除染が前記還元除染剤及びｐＨ調整剤を含む前記水溶液を用いて行われる請求項１、１０及び１１のいずれか１項に記載の原子力プラントの構造部材への貴金属付着方法。
【請求項１８】
前記還元除染が前記還元除染剤を含んで及びｐＨ調整剤を含んでいない前記水溶液を用いて行われる請求項１、１０及び１１のいずれか１項に記載の原子力プラントの構造部材への貴金属付着方法。
【請求項１９】
前記錯イオン形成剤、及び前記貴金属イオンを前記水溶液に注入する前に前記錯イオン形成剤及び前記貴金属イオンを混合して生成される、前記錯イオン形成剤及び前記貴金属イオンを含む錯イオンを、前記錯イオン形成剤、前記貴金属イオン及び前記還元剤と共に含んでいる前記水溶液を、前記表面に接触させる請求項１に記載の原子力プラントの構造部材への貴金属付着方法。
【請求項２０】
前記錯イオン形成剤及び前記貴金属イオンの混合が混合槽内で行われ、前記表面に接触させる前記水溶液が、前記混合槽内で生成される前記錯イオンを、前記錯イオン形成剤、前記貴金属イオン及び前記還元剤と共に含んでいる請求項１９に記載の原子力プラントの構造部材への貴金属付着方法。
【請求項２１】
前記錯イオン形成剤及び前記貴金属イオンの混合が予め行われ、この混合によって生成される前記錯イオンを含み且つ前記錯イオン形成剤及び前記貴金属イオンを含む混合水溶液を、タンクに充填し、前記混合水溶液を前記還元除染剤の前記水溶液に注入する請求項１９に記載の原子力プラントの構造部材への貴金属付着方法。
【請求項２２】
還元除染剤の水溶液を用いて、原子力プラントの構造部材の炉水に接触する表面の還元除染を実施するステップ、及び前記還元除染後に実施される前記還元除染剤の分解工程内で、前記還元除染剤の一部を分解した後で前記水溶液に前記還元除染剤が残っている第１期間、及び前記分解工程が終了した後に実施される前記水溶液の浄化を行う第２期間のうち少なくとも１つの期間において、錯イオン形成剤、及び貴金属イオンを前記水溶液に注入することにより生成された、前記錯イオン形成剤、及び前記貴金属イオンを含む前記水溶液を、前記構造部材の前記還元除染が実施された前記表面に接触させ、前記表面に前記貴金属イオンを吸着させる第１ステップを有し、
還元剤を前記水溶液に注入することにより生成された、前記還元剤を含む前記水溶液を、前記貴金属イオンが吸着されている前記表面に接触させて前記表面に吸着されている貴金属イオンを前記還元剤により還元し、前記表面に吸着されている前記貴金属イオンを貴金属に変換する第２ステップを有し、
前記第１及び第２ステップが、前記原子力プラントの運転停止後で前記原子力プラントの起動前に行われることを特徴とする原子力プラントの構造部材への貴金属付着方法。
【請求項２３】
前記錯イオン形成剤及び前記貴金属イオンを前記水溶液に注入する前に前記錯イオン形成剤及び前記貴金属イオンを混合して生成される、前記錯イオン形成剤及び前記貴金属イオンを含む錯イオンを、前記錯イオン形成剤及び前記貴金属イオンと共に含んでいる前記水溶液を、前記表面に接触させる請求項２２に記載の原子力プラントの構造部材への貴金属付着方法。
【手続補正２】
【補正対象書類名】明細書
【補正対象項目名】００２０
【補正方法】変更
【補正の内容】
【００２０】
上記した課題を解決する本発明の特徴は、還元除染剤の水溶液を用いて、原子力プラントの構造部材の炉水に接触する表面の還元除染を実施するステップ、及び還元除染後に実施される還元除染剤の分解工程内で、還元除染剤の一部を分解した後でその水溶液に還元除染剤が残っている第１期間、及びその分解工程が終了した後に実施されるその水溶液の浄化を行う第２期間の少なくとも一つの期間において、錯イオン形成剤、貴金属イオン及び還元剤をその水溶液に注入することにより生成された、錯イオン形成剤、貴金属イオン及び還元剤を含むその水溶液を、構造部材の還元除染が実施されたその表面に接触させ、その表面にその貴金属イオンから生成される貴金属を付着させるステップを有し、
還元除染を実施するステップ及び貴金属を付着させるステップが、原子力プラントの運転停止後で原子力プラントの起動前に行われることにある。
【手続補正３】
【補正対象書類名】明細書
【補正対象項目名】００２１
【補正方法】変更
【補正の内容】
【００２１】
還元除染後に実施される還元除染剤の分解工程内で、還元除染剤の一部を分解した後でその水溶液に還元除染剤が残っている第１期間、及び還元除染剤分解工程が終了した後に実施されるその水溶液の浄化を行う第２期間の少なくとも一つの期間において、錯イオン形成剤、貴金属イオン及び還元剤をその水溶液に注入することにより生成された、錯イオン形成剤、貴金属イオン及び還元剤を含むその水溶液を、構造部材の還元除染が実施されたその表面に接触させ、その表面に貴金属を付着させるステップを有するので、原子力プラントの構造部材の表面の化学除染及びその表面への貴金属の付着に要する時間をさらに短縮することができる。還元剤の使用は、構造部材の表面への貴金属の付着効率を増大させるため、その施工時間のさらなる短縮に貢献する。
【手続補正４】
【補正対象書類名】明細書
【補正対象項目名】００２２
【補正方法】変更
【補正の内容】
【００２２】
特に、第１期間及び第２期間の少なくとも一つの期間において、錯イオン形成剤をその水溶液に注入するため、化学除染により配管系の内面に存在する酸化被膜の溶解によって生じたＦｅ（III）イオンが注入された錯イオン形成剤と反応し、Ｆｅ（III）イオンと錯イオン形成剤との錯イオンが生成される。この結果、配管系の内面に貴金属を付着させるために、貴金属イオン及び還元剤が錯イオン形成剤を含む還元除染剤の水溶液に注入されたとき、この水溶液のｐＨが注入された還元剤の作用により上昇したとしても、還元除染剤の水溶液内のＦｅ（III）イオンが水酸化鉄及びマグネタイトになって析出することを著しく抑制することができる。この結果、還元除染剤の水溶液に含まれている貴金属イオンが配管系の内面に吸着されて還元剤の作用によって貴金属として配管系の内面に付着する量が著しく増大する。